(57)【要約】【課題】消費者に積極的に手に取ってもらい、液状香り見本の香りをより多くの消費者に体験してもらうこと。【解決手段】香料を含有した液体である芳香性流動体を収容し、収容した芳香性流動体の香りを外部に放出させる香り提示装置１Ａである。香り提示装置１Ａは、封止シート３で覆われた開口部２２を有し芳香性流動体が収容された収容部２０、及び開口部２２の反対側に形成された摘み部２３を備えており、封止シート３は、気体は通過させるが液体の芳香性流動体は通過させないようになされている。そして香り提示装置１Ａは、摘み部２３を上に向け且つ開口部２２を下に向けた状態では自立可能であり、該開口部２２を上に向け且つ該摘み部２３を下に向けた状態では自立不能になされている。【選択図】図１
2019023106.tif 000002
【特許請求の範囲】
【請求項１】
香料を含有した液体又は香料を担持した粉粒体である芳香性流動体を収容し、収容した芳香性流動体の香りを外部に放出させる香り提示装置であって、
封止シートで覆われた開口部を有し前記芳香性流動体が収容された収容部、及び前記開口部の反対側に形成された摘み部を備えており、
前記封止シートは、気体は通過させるが前記芳香性流動体は通過させないシートであり、
前記摘み部を上に向け且つ前記開口部を下に向けた状態では自立可能であり、該開口部を上に向け且つ該摘み部を下に向けた状態では自立不能になされている、香り提示装置。
【請求項２】
前記封止シートは、前記液体である前記芳香性流動体を通過させないシートである、請求項１に記載の香り提示装置。
【請求項３】
複数の貫通孔を有し、前記開口部を覆った状態の前記封止シートにおける前記摘み部側とは反対側の表面を被覆するカバー部材を備える、請求項１又は２に記載の香り提示装置。
【請求項４】
前記カバー部材は、前記封止シートの前記表面を覆う被覆部の外周部から該封止シートから離れる方向に延出した脚部を有する、請求項３に記載の香り提示装置。
【請求項５】
前記封止シートは、複数の貫通孔が形成された多孔部を有する板状体に沿わせた状態で配されている、請求項１〜４の何れか１項に記載の香り提示装置。
【請求項６】
前記多孔部を有する板状体は、前記封止シートの前記収容部の内部空間側に向けられる面である内面側に配されている、請求項５に記載の香り提示装置。
【請求項７】
前記封止シートは、複数の貫通孔が形成された多孔部を有する平板部を備えた第１部材と、前記多孔部に対向する部分が開口部となっている第２部材との間に挟まれた状態で、香り提示装置内に保持されている、請求項１〜６の何れか１項に記載の香り提示装置。
【発明の詳細な説明】
【技術分野】
【０００１】
本発明は、香り提示装置に関し、詳しくは、シャンプーやリンス、柔軟剤等の商品の香りを体験してもらい易くする香り提示装置に関する。
【背景技術】
【０００２】
昨今、例えば、シャンプーやリンス、制汗剤等の化粧品や、柔軟剤やルームフレグランス等の日用品においても、様々な種類の商品が展開されており、それぞれにおいて、他の商品との差別化が図られている。そのような中で、香りによる他商品との差別化は重要な要素の１つであり、様々な香りが再現された商品が多々販売されている。
【０００３】
しかし、香りによる差別化は、実際に消費者に香りを体験してもらわないと分からない部分が多く、また消費者が店頭で商品を開封して香りを確認することもできない。そこで、従来、商品に賦香されているものと同じ香料を含有させた香り見本を、商品の近くに展示して消費者に該商品の香りを自由に体験してもらうことが一般的である（例えば、特許文献１参照）。
【先行技術文献】
【特許文献】
【０００４】
【特許文献１】登録実用新案第３１４３６４４号公報
【発明の概要】
【発明が解決しようとする課題】
【０００５】
しかし、香料を担持させた紛体を蓋付容器に収容している一般的な香り見本では、収容容器の蓋を開けなければ中の香り見本の香りを嗅ぐことはできない。そのため、消費者が収容容器の蓋を開けて中の香りを嗅ぐまでに至らない場合が多い。また、気軽に香りを体験してもらうために、開口型の収容容器であると、すぐに香料がとんでしまい、多くの消費者に香りを体験してもらうことができない。
【０００６】
したがって本発明の課題は、前述した従来技術が有する欠点を解消し得る香り提示装置を提供することにある。
【課題を解決するための手段】
【０００７】
本発明は、香料を含有した液体又は香料を担持した粉粒体である芳香性流動体を収容し、収容した芳香性流動体の香りを外部に放出させる香り提示装置であって、封止シートで覆われた開口部を有し前記芳香性流動体が収容された収容部、及び前記開口部の反対側に形成された摘み部を備えており、前記封止シートは、気体は通過させるが前記芳香性流動体は通過させないようになされており、前記摘み部を上に向け且つ前記開口部を下に向けた状態では自立可能であり、該開口部を上に向け且つ該摘み部を下に向けた状態では自立不能になされている香り提示装置を提供するものである。
【発明の効果】
【０００８】
本発明の香り提示装置によれば、消費者に積極的に手に取ってもらうことが可能になり、香り見本から発する香りを、より多くの消費者に体験してもらうことができる。
【図面の簡単な説明】
【０００９】
【図１】図１は、本発明の第１実施形態に係る香り提示装置を斜め下方から視た斜視図である。
【図２】図２は、図１に示す香り提示装置を斜め上方から視た斜視図である。
【図３】図３（ａ）は図１に示す香り提示装置の側面図であり、図３（ｂ）は底面図であり、図３（ｃ）は上面図である。
【図４】図４は、図１に示す香り提示装置の図３（ａ）中ＩＶ−ＩＶ線に沿う断面を示す分解斜視図である。
【図５】図５は、本発明の第１実施形態に係る香り提示装置のカバー部材の他の形態を示す斜視図である。
【図６】図６は、図１に示す香り提示装置が商品棚等に載置された状態を模式的に示す斜視図である。
【図７】図７は、図６に示す香り提示装置を消費者が手に取って匂いを嗅ぐ様子を示す図である。
【図８】図８は、本発明の第２実施形態に係る香り提示装置を示す図である。
【図９】図９は、本発明の第３実施形態に係る香り提示装置を示す図である。
【図１０】図１０は、本発明の第４実施形態に係る香り提示装置を示す図である。
【図１１】図１１は、本発明の第５実施形態に係る香り提示装置を示す図である。
【図１２】図１２は、本発明の第６実施形態に係る香り提示装置の図４相当図である。
【図１３】図１３は、最小矩形断面の説明図である。
【発明を実施するための形態】
【００１０】
以下本発明を、その好ましい第１実施形態に基づき図面を参照しながら説明する。図１には、本発明の第１実施形態に係る香り提示装置１Ａを斜め下方から視た斜視図が示されており、図２には、香り提示装置１Ａを斜め上方から視た斜視図が示されている。図３（ａ）には、香り提示装置１Ａの側面図、図３（ｂ）には香り提示装置１Ａの底面図、図３（ｃ）には香り提示装置１Ａの上面図が示されている。図４には、図３（ａ）に示す香り提示装置のＩＶ−ＩＶ線断面の分解斜視図が示されている。
【００１１】
本発明の第１実施形態に係る香り提示装置１Ａは、香料を含有した液体又は香料を担持した粉粒体である芳香性流動体を収容し、収容した芳香性流動体の香りを外部に放出させる香り提示装置である。
香り提示装置１Ａは、封止シート３で覆われた開口部２２を有し芳香性流動体が収容された収容部２０、及び開口部２２の反対側に形成された摘み部２３を備えており、封止シート３は、気体は通過させるが前記芳香性流動体は通過させないようになされている。香り提示装置１Ａは、摘み部２３を上に向け且つ開口部２２を下に向けた状態では自立可能であり、開口部２２を上に向け且つ摘み部２３を下に向けた状態では自立不能になされている。以下の説明において、軸方向Ｘとは、香り提示装置１Ａを、水平面上に、開口部２２を下に向けた状態で自立させた状態において、概ね鉛直方向に沿う方向であり、本実施形態の香り提示装置１Ａのように、摘み部２３の下方に括れ部２４を有する場合は、開口部２２の中心と括れ部２４の中心とを通る直線と平行な方向である。
【００１２】
詳述すると、本実施形態では、香り提示装置１Ａは、図１〜図４に示すように、開口部２２を有する収容部２０及び摘み部２３を有する容器本体２Ａと、収容部２０の開口部２２を覆う封止シート３と、開口部２２を封止した封止シート３を容器本体２Ａに係止させる係止部材４と、複数の貫通孔５２を有し開口部２２を覆った状態の封止シート３における摘み部２３とは反対側の表面を被覆するカバー部材５と、開口部２２と封止シート３との間に配される第１パッキン部材６ａと、封止シート３と係止部材４との間に配される第２パッキン部材６ｂとを備えている。即ち、香り提示装置１Ａは、容器本体２Ａと、封止シート３と、第１パッキン部材６ａ及び第２パッキン部材６ｂと、係止部材４と、カバー部材５とを備えている。
【００１３】
容器本体２Ａは、前述したように、収容部２０と摘み部２３とを有している。香り提示装置１Ａを自立させた状態において、収容部２０は、軸方向Ｘにおける摘み部２３より下方に位置する部分であり、内部に芳香性流動体が収容される内部空間２１を有している。
本実施形態において、収容部２０は、軸方向Ｘの一方側から他方側に向かって、外形が漸次小さくなる鐘形に形成されており、一方側に開口部２２が形成され、他方側に括れ部２４が設けられている。開口部２２は、収容部２０の内部空間２１と外部とを連通させている。括れ部２４は、外形が内方に括れた形状に形成されている。また収容部２０は、内部空間２１が軸方向Ｘの他方側に向かって漸次小さくなるように形成されている。具体的には、内部空間２１は、軸方向Ｘと直交する断面積が開口部２２から軸方向Ｘの他方側に向かって漸次小さくなるように形成されている。収容部２０の外形が括れ部２４に向かって漸次小さくなることで、匂いを嗅ぐ際に摘みやすく、また、所定位置に戻した際に自立（正立）して転がり難い。なお、収容部２０の内部空間２１は、全体が括れ部２４に向かって漸次小さくなる必要はなく、少なくとも一部が括れ部２４に向かって漸次小さくなっていてもよい。例えば、収容部２０内の内部空間２１は、内周面が筒状の内部空間と、括れ部２４に向かって直径又は断面積が漸次小さくなる内部空間とからなっていてもよい。また、収容部２０の内部空間２１は、括れ部２４に向かって漸次小さくなる部分を有しないものであっても良い。
【００１４】
摘み部２３は、軸方向Ｘにおける開口部２２と反対側、つまり、香り提示装置１Ａ又は容器本体２Ａにおける開口部２２側とは反対側に形成されており、香り提示装置１Ａを、開口部２２側を鉛直方向の下方に向けて自立（正立）させた状態においては、括れ部２４より上方に配されている。摘み部２３は、略球形状に形成されており、消費者が摘み易い形状となっている。なお、摘み部２３の形状は、消費者が摘み易い形状であれば特に制限されない。例えば、本実施形態の略球形状以外にも、略直方体形状、略立方体形状等の軸方向Ｘに対して対称形状であっても、ツリーや星形状等のデザイン性のある非対称形状であってもよい。
また本実施形態では、摘み部２３の内部には、図４に示すように、内部空間２５が設けられており、内部空間２５と収容部２０の内部空間２１とは連通している。なお、摘み部２３は、必ずしも収容部２０と一体成形されている必要はなく、その内部に内部空間２５が設けられていなくても良い。例えば、収容部２０の括れ部２４の上方に、摘み部２３を取り付け可能な取付け部を設け、該取付け部に、摘み部２３が融着、嵌合、螺合、接着剤等の任意の手段により取り付けられていても良い。
【００１５】
開口部２２の外縁部には、前述した係止部材４と係合可能な被係合部２６が形成されている。被係合部２６は、円環状に形成されており、外径が係止部材４の内径よりも僅かに小さくなるように形成されている。本実施形態では、被係合部２６は、該被係合部２６の外周面と係止部材４の内周面との間に封止シート３を挟むことが可能な隙間が設けられる大きさに形成されている。
【００１６】
図４に示すように、被係合部２６の軸方向Ｘにおける他方側には、カバー部材５を螺合可能な螺合部２７が形成されている。螺合部２７は、被係合部２６の外周面よりも、容器本体２Ａの軸方向Ｘと直交する方向の外方に位置しており、被係合部２６の外周面よりも外方側でカバー部材５と螺合されるようになっている。
【００１７】
また螺合部２７には、カバー部材５の内面に形成された後述する螺合溝５３と螺合可能な被螺合溝２８が形成されている。被螺合溝２８は、カバー部材５を反時計回り（左回り）に回転させることでカバー部材５と螺合し、カバー部材５を時計回り（右回り）に回転させることで、カバー部材５を取り外すことができるようになっている。このように、螺合部２７及びカバー部材５とは、一般的な回転方向とは逆方向に、カバー部材５を回転させることで螺合又は取り外しできるようになっており、カバー部材５が消費者によって不要に取り外されないようになっている。
【００１８】
被螺合溝２８の軸方向Ｘにおける他方側には、螺合させたカバー部材５の螺合位置を規制するストッパ部２９が設けられている。ストッパ部２９は、カバー部材５を係止することでカバー部材５の螺合位置を規制している。
【００１９】
このように第１実施形態では、香り提示装置１Ａの容器本体２Ａは、摘み部２３を上に向け、開口部２２を下に向けた状態で、摘み部２３の下方が括れた釣鐘型に形成されている。香り提示装置１Ａの容器本体２Ａを摘み部２３の下方が括れた釣鐘型にすることで、一般的な円筒状の容器に比べて消費者の興味をひくことが可能になり、例えば、消費者が香り提示装置１Ａを指で摘んで取ってみる等の行為を行うことを促進することが可能になる。即ち、香り提示装置１Ａを消費者に積極的に手に取ってもらうことが可能になる。また、図７に示すように、消費者に摘み部２３を摘ままれた状態で、消費者が開口部２２を鼻の近くに近づけようとすると、必然的に、開口部２２が上向きになるので、収容部２０内に収容された芳香性流動体が自然と撹拌されて香りを放出し易くなる。
【００２０】
また第１実施形態では、容器本体２Ａは、その内部を視認可能な光透過性を有する有色透明に形成されている。容器本体２Ａの内部を視認可能に形成することで、収容部２０に収容された芳香性流動体の移動状態やその量等を消費者が容易に目視することができ、香り提示装置１Ａにより一層の興味を持たせることができる。なお、第１実施形態では、容器本体２Ａを有色透明としたが、容器本体としては、無色透明としても良く、収容された芳香性流動体が消費者に目視可能であれば半透明であっても良い。また、容器本体２Ａが有色である場合、芳香性流動体の色と異なる色とすることで、移動状態をより視認しやすくなる。
【００２１】
封止シート３は、図４に示すように、気体は通過させるが芳香性流動体は通過させないシートにより構成されている。第１実施形態では、封止シート３は、芳香性流動体の揮発した香気成分等の気体は通過させるが、芳香性流動体自体は通過させないようになされている。例えば、芳香性流動体が液体の場合、封止シートは気体は通過させるが液体は通過させない多孔質シートが好ましい。また、芳香性流動体が粉粒体の場合には、前記粉粒体が通過しない程度の開口を有するメッシュ等の網状のシートとすることもできる。網状のシートの材質は、合成樹脂や金属等、任意である。
第１実施形態では、封止シート３は、単層の通気性シートである多孔質シートにより構成されている。多孔質シートとしては、樹脂製の多孔質シートや通気孔を有する樹脂性のシートを用いることができ、例えば、ポリエチレン、ポリプロピレン、エチレン酢酸ビニル共重合体等の樹脂製のシートを用いることができる。具体的には、樹脂製の多孔質シートとしては、熱可塑性樹脂及び該樹脂と相溶性のない有機又は無機のフィラーの溶融混練物をフィルム状に形成し、一軸又は二軸延伸して得られたものであり、微細な多孔質構造になっているものを用いることができる。
封止シート３の厚みは、５μｍ以上１００μｍ以下であることが好ましい。
【００２２】
封止シート３の通気度は、１０００秒以上とすることが好ましく、１００００秒以上とすることがより好ましく、また、匂いの質の観点から１０００００秒以下とすることが好ましく、５００００秒以下とすることがことさら好ましい。封止シート３の通気度は、１０００秒以上１０００００秒以下であることが好まく、１００００秒以上５００００秒以下であることがより好ましい。なお、通気度は、ＪＩＳ  Ｐ８１１７（２００９年改正版）によって測定される値であり、一定の圧力のもとで１００ｍｌの空気が６．４５ｃｍ２の面積を通過する時間で定義される。通気度は、王研式通気度針若しくはそれに準じた測定器で測定することができる。
【００２３】
封止シート３としては、上述した多孔質シート以外にも、多孔質フィルムの一面に繊維層を貼り合わせてなる複合シートを用いることもできる。複合シートを用いて開口部２２を封止する場合には、繊維層が外面を向くように配することが好ましい。外面とは、多孔質フィルムの面のうち、繊維層との貼合せ面を外面といい、繊維層との貼合せ面と反対の面を内面という。
【００２４】
多孔質フィルムは、外面が親水性になっていることが好ましい。多孔質フィルムの外面が親水性となっていることで、例えば、多孔質フィルムの内面に芳香性流動体が接触した際に、芳香性流動体が多孔質フィルムの微細孔を通じて外部に染み出す前に、芳香性流動体を外面の平面方向に拡散させることができる。平面方向に拡散した芳香性流動体は、空気と接触する面積が増大するので、その乾燥速度が高まり、繊維層をドライな状態に保持することができる。また、芳香性流動体の染み出しを防止する観点から、多孔質フィルムの内面は疎水性であることが好ましい。
多孔質フィルムとしては、透湿性シートとして通常用いられるものと同様のものを特に制限なく用いることができる。例えば、熱可塑性樹脂及び炭酸カルシウム等のフィラーを含む樹脂組成物から得られた成形シートを一軸又は二軸延伸して得られるフィルムを用いることができる。
【００２５】
多孔質フィルムの外面における平面方向へ芳香性流動体を拡散させる観点から、繊維層は、疎水性であることが好ましい。同様の観点から、繊維層が疎水性であることに加えて、該繊維層の坪量が２０ｇ／ｍ２以上であることが好ましい。具体的には、繊維層の
坪量は、２０〜５０ｇ／ｍ２が好ましく、より好ましくは２５〜５０ｇ／ｍ２、さらに好ましくは２８〜４０ｇ／ｍ２である。
繊維層としては、各種合成繊維を原料とする繊維や、レーヨンなどの再生繊維、コットン及びパルプ等の天然繊維などを用いることができる。繊維層を疎水性とする場合には、疎水性の合成繊維を原料とする繊維を用いることが好ましい。繊維層の形態としては、ウェブ、該ウェブ中の繊維好転を固定化して得られた不織布、織布、編布などを特に制限なく用いることができる。
【００２６】
第１パッキン部材６ａと第２パッキン部材６ｂの内径は同じであってもよく、異なっていてもよい。例えば、図４に示すように、封止シート３の内面側の第１パッキン部材６ａの内径を、封止シート３の外面側の第２パッキン部材６ｂの内径よりも大きくしてもよく、封止シート３の外面側の第２パッキン部材６ｂの内径を封止シート３の内面側の第１パッキン部材６ａの内径よりも大きくしてもよい。
このように、封止シート３の外面側及び内面側に内径の異なる第１パッキン部材６ａ及び第２パッキン部材６ｂを配することで、香り見本の香りの強さや揮散量を調整することができる。封止シート３の内面とは、収容部２０に収容された芳香性流動体側に向けられる面であり、封止シート３の外面とは、芳香性流動体側とは反対側に向けられる面である。
【００２７】
本実施形態の香り提示装置１Ａにおいて、封止シート３は、その内面側に第１パッキン部材６ａが配され、その外面側に第２パッキン部材６ｂが配されており、封止シート３は、その中央域を囲む外周部が、第１パッキン部材６ａと第２パッキン部材６ｂとの間に挟まれた状態で、香り提示装置１Ａに配されている。封止シート３は、収容部２０の開口部２２から芳香性流動体が漏れ出さないように覆っていればよく、本実施形態におけるように、封止シート３は、収容部２０の開口部２２の周縁部との間に、第１パッキン部材６ａ等の他の部材が存在した状態で、該開口部２２を覆っていても良い。
封止シート３と第１パッキン部材６ａとの間及び封止シート３と第２パッキン部材６ｂとの間は、それぞれ接合されていなくても良い。
【００２８】
また、封止シート３と第１パッキン部材６ａとを接合して、封止シート３を第１パッキン部材６ａに固定してもよく、封止シート３と第２パッキン部材６ｂとを接合して、封止シート３を第２パッキン部材６ｂに固定してもよい。封止シート３と第１パッキン部材６ａとの接合方法は、ヒートシール、接着剤、あるいは超音波融着等によりおこなうことができる。同様に、封止シート３と第２パッキン部材６ｂとの接合方法は、ヒートシール、接着剤、あるいは超音波融着等によりおこなうことができる。
【００２９】
第１パッキン部材６ａ及び第２パッキン部材６ｂとしては、独立気泡構造を持つ樹脂製の発砲シートを用いることができ、例えば、ポリエチレン等のポリオレフィン系樹脂を発砲させた発砲樹脂シートを用いることができる。ガスを用いた発砲樹脂シートの発砲倍率は、２倍以上３倍以下が好ましい。また第１パッキン部材６ａ及び第２パッキン部材６ｂは、樹脂成型したものをそのまま用いることもできるが、ＰＥＴ，ＰＰ，ＰＥ，ＡＬ及びテフロン（登録商標）等を用いたラミネート加工が施されたものが好ましい。第１パッキン部材６ａ及び第２パッキン部材６ｂの厚みは、０．５ｍｍ以上３ｍｍ以下であることが好ましい。
【００３０】
図４に示すように、係止部材４は、開口部２２を封止した封止シート３を容器本体２Ａに係止可能に、前述した被係合部２６と係合可能に環状に形成されている。係止部材４は、被係合部２６の外周面と係合可能に形成された外面係合部４０と、被係合部２６の外縁部と係合可能に係合された外縁係合部４１とを有している。
外面係合部４０は、封止シート３を介して係止部材４を被係合部２６に係合させた場合に、被係合部２６の外周面とで封止シート３を挟持した状態で固定可能に形成されている。つまり、外面係合部４０は、被係合部２６の外周面と直交する方向から封止シート３を押さえるように固定する。
外縁係合部４１は、外面係合部４０の端部から内方に向かって延出しており、封止シート３を介して係止部材４を被係合部２６に係合させた場合に、被係合部２６の外縁部とで封止シート３を挟持した状態で固定可能に形成されている。つまり、外縁係合部４１は、封止シート３を上方から押さえるように固定する。
【００３１】
図４に示すように、カバー部材５は、開口部２２を被覆する封止シート３の表面を被覆する被覆部５０と、前述した螺合部２７と螺合可能な螺合部５１とを備えている。被覆部５０が被覆する封止シート３の表面は、図４に示すように、封止シート３における摘み部２３側とは反対側の表面である。被覆部５０は、容器本体２Ａに取り付けた際に、容器本体２Ａの摘み部２３を上に向け且つ開口部２２を下に向けた状態で、棚等の平面上に載置可能に形成されている。被覆部５０には、該被覆部５０を貫通する複数の貫通孔５２が形成されている。本実施形態においては、複数の貫通孔５２のそれぞれは、ハニカム形状を主体に形成されている。カバー部材５の被覆部５０は、封止シート３との間に隙間をするものであっても良いし、隙間を有しないものであっても良い。いずれの場合においても、ヒトの手指や他のものが接触することによるシートの破損等を防止することができる。
【００３２】
なお、第１実施形態では、ハニカム形状を主体に複数の貫通孔５２を形成したが、本発明においては、複数の貫通孔を用いて所定の模様等を模したものにしても良い。例えば、芳香性流動体の香りを所定のシャンプーの香りと同じにした場合においては、複数の貫通孔５２を用いて、該所定のシャンプーのブランドロゴを模したものにしても良い。複数の貫通孔５２を用いて、被覆部５０にブランドロゴ等を模することで、消費者に、より一層の興味を持たせることが可能になる。また、例えば、消費者が摘み部２３を摘まんで被覆部５０を見る行為により、収容部に収容された芳香性流動体が撹拌されて香りを放出し易くなる。また、例えば消費者が被覆部５０を見ただけで、どのブランドの香りかを認識することが可能になり、消費者に香り提示装置１Ａを手に取ってもらえることが期待できる。
【００３３】
螺合部５１には、螺合部２７に形成された被螺合溝２８と螺合可能な螺合溝５３が形成されている。カバー部材５は、被螺合溝２８に螺合溝５３を螺合させ、ストッパ部２９に螺合位置が規制されることで、螺合部２７に固定される。なお、螺合部５１における螺合方向は前述した通りである。
【００３４】
カバー部材は、図５に示すカバー部材５’ように、被覆部５０の外周部から、封止シート３から離れる方向に延出した脚部５４を有していてもよい。言い換えると、被覆部５０から軸方向Ｘの外方に延出する脚部５４を有していてもよい。被覆部５０から延出する脚部５４を設けることで、摘み部２３を上に向けた状態で香り提示装置１Ａを自立させ易くなる。脚部５４は、図５に示すカバー部材５’のように、被覆部５０の全周に亘る環状のものに限定されず、自立状態を安定化させ得る各種形態ものを採用することができ、例えば、被覆部５０の外周部の複数個所、好ましくは３か所以上に、相互に離間した状態に半球状や円柱状の複数の凸部を設けても良い。
【００３５】
香り提示装置１Ａに収容される芳香性流動体としては、芳香性流動体の香りの対象となる製品と同じ香料を溶媒で希釈させたものが用いられている。溶媒としては、プロピレングリコール、ジプロピレングリコール、トリプロピレングリコール、エチレングリコール、ジエチレングリコール、グリセリン、クエン酸トリエチル、トリアセチン、ミリスチン酸ベンジル、ミリスチン酸イソプロピル、パルミチン酸イソプロピル、フタル酸ジエチル、安息香酸ベンジル、ファルネセン等が用いられる。水を溶媒として用いる場合は、界面活性剤、可溶化剤及びそれらを組み合わせて、水系溶媒中に乳化または可溶化させることもできる。
また、製品そのもの、もしくはそれを水等の香りを有しない溶媒で希釈したり、固形物であれば溶解することにより、さらに製品に近い香りを体験することもできる。また、洗浄剤のように水で希釈すると起泡する製品の場合は、水と共に、エタノール、エチレングリコール、プロピレングリコール、グリセリン等のアルコールを添加して希釈するか又は微量のシリコーンを添加することにより、起泡を抑制することもできる。さらに、液状香り見本としても香りが変わらない範囲で、それ自体の香りがあまり強くなく、粘度の低下に寄与する香料成分を配合することもできる。具体的には、リモネン、フェニルエチルアルコール、ベンジルアルコール等が挙げられる。
【００３６】
芳香性流動体の粘度としては、ＴＶ１０型粘度計（ＶＩＳＣＯＭＥＴＥＲ、ローターＮｏ．１、３０ｒｐｍ、３０℃）で０．１ｍＰａ・ｓ〜１００ｍＰａ・ｓであることが好ましく、０．１ｍＰａ・ｓ〜５０ｍＰａ・ｓであることがより好ましい。
【００３７】
芳香性流動体としては、粉粒体に香料を担持させたものを用いることもできる。粉粒体の構成材としては、セラミック、合成樹脂、金属、ゼオライト等、及びこれら２以上の組み合わせからなる複合材等が挙げられる。粉粒体の形状としては、球状、楕円状、不定形状、矩形状、粉状等が挙げられるが、球状であることが好ましい。粉粒体の粒径は、好ましくは０．０１ｍｍ以上、より好ましくは０．１ｍｍ以上であり、また好ましくは５ｍｍ以下、より好ましくは３ｍｍ以下であり、また好ましくは０．０１ｍｍ以上５ｍｍ以下、より好ましくは０．１ｍｍ以上３ｍｍ以下である。
【００３８】
また、第１実施形態では、溶媒に香料を含有させた芳香性流動体を用いたが、該芳香性流動体に色を付する場合には、色素を含有させて色つきの芳香性流動体としても良い。色素を含有させる場合においては、更に水を加えて色素を溶解させると良い。  液体の芳香性流動体が含む香料又は粉粒体に担持させる香料をとしては、各種公知のものを用いることができ、調合香料、天然香料のいずれでもよい。具体的には、『香料と調香の基礎知識』（中島基貴編著，産業図書株式会社，１９９５年６月２１日初版）、『合成香料−化学と商品知識』（印藤元一著、化学工業日報社、２００５年３月２５日 増補改訂版）、『Perfume and Flavor Chemicals」（ステファン・アークテンダー著、自費出版、１９６９年）に記載されている香料を使用することができる。
【００３９】
次に、上述した第１実施形態に係る香り提示装置１Ａを使用した際の作用効果について、図６及び図７を参照しながら説明する。図６には、本発明の第１実施形態に係る香り提示装置１Ａが商品棚１２に載置された状態を模式的に示す斜視図が示されている。図７には、図６に示す香り提示装置を消費者が手に取って匂いを嗅ぐ様子が示されている。
【００４０】
図６に示すように、第１実施形態に係る香り提示装置１Ａは、該香り提示装置１Ａに収容された芳香性流動体と同じ香料が含有されたシャンプー、リンス、洗剤又は柔軟剤等の商品１１が陳列された商品棚１２の近くに展示される。例えば、商品棚１２の前方部分にホルダ１３を配し、該ホルダ１３上に載置された状態で展示される。ホルダ１３には、例えば、「摘まんでみて香りを試してみて」等、消費者に香り提示装置１Ａを摘まんで手に取ってもらうことを促す文字が印刷されており、消費者に積極的に手に取ってもらえるようになっている。
【００４１】
また香り提示装置１Ａは、図６に示すように、摘み部２３を上に向け且つ開口部２２を下に向けた状態でのみで自立するように形成されているので、香り提示装置１Ａをホルダ１３等に載置する場合、必然的に摘み部２３が上になり、該摘み部２３が香り提示装置１Ａの持ち手部分として認識されるようになる。
【００４２】
そして、図７に示すように、消費者が香り提示装置１Ａの摘み部２３を手の指で摘まんで香り提示装置１Ａの開口部２２側を鼻の近くに持ってくることで、収容部２０内の芳香性流動体が収容部２０内で撹拌されて香りを放出し易くなる。このようにして消費者が芳香性流動体の香り、即ち、商品棚１２に陳列された商品１１と同じ香りを嗅ぐと、当該商品１１の購買意欲を向上させることが期待できる。
【００４３】
また、香り提示装置１Ａには、香り提示装置１Ａの上下が分かる表示が付されていることが好ましい。例えば、上記の「促す文字」や「香り見本」といった表示を、その表示の上下と香り提示装置の自立状態における上下とが一致するように表示する。
これらの表示を香り提示装置１Ａの表面に付す方法としては、表示が印刷されたシュリンクフィルムを香り提示装置１Ａの周囲に装着して表示する方法、容器本体２にインモールドラベルで表示する方法、香り提示装置１Ａに表示を任意の印刷方法により直接印刷する方法等が挙げられる。
【００４４】
なお、香り提示装置１Ａには、香り提示装置１Ａがホルダ１３等から落下しないように、落下防止措置を講じることが好ましい。例えば、括れ部２４に紐等の一端側を括り付け、他端側を商品棚１２又はホルダ等に括り付けておくことが好ましい。商品棚１２又はホルダ１３等と香り提示装置１Ａとを繋いでおくことで、香り提示装置１Ａがホルダ１３から落下したり、香り提示装置１Ａを紛失したりすることを防止することができる。
【００４５】
以上説明したように、第１実施形態に係る香り提示装置１Ａによれば、消費者に香り提示装置１Ａを積極的に手に取ってもらうことが可能になり、香り提示装置１Ａの香りを、より多くの消費者に楽しんでもらうことができる。
【００４６】
次に、本発明の第２実施形態に係る香り提示装置１Ｂについて、図８を参照しながら説明する。図８は、第２実施形態に係る香り提示装置１Ｂを示す図であり、図８（ａ）には上面図、図８（ｂ）には側面図、図８（ｃ）には底面図、図８（ｄ）は斜め上方から視た斜視図、図８（ｅ）は斜め下方から視た斜視図が示されている。
【００４７】
第２実施形態の香り提示装置１Ｂについては、第１実施形態の香り提示装置１Ａと異なる点について説明する。特に説明しない点については、香り提示装置１Ａと同様であり、香り提示装置１Ａの説明が適宜適用される。
【００４８】
第１実施形態の香り提示装置１Ａでは、容器本体２Ａに括れ部２４を有する鐘形の形状に形成されているところ、第２実施形態の香り提示装置１Ｂでは、摘み部２３と収容部２０との間に括れ部２４が形成され、収容部２０は、括れ部２４近傍の外面が外方に向かって凸の垂直断面形状を有する釣鐘形状に形成されている。すなわち、香り提示装置１Ｂの容器本体２Ｂは、摘み部２３を上に向け、開口部２２を下に向けた状態で、所謂、釣鐘型に形成されている。
【００４９】
香り提示装置１Ｂの容器本体２Ｂを釣鐘型にすることで、消費者の興味をひくことが可能になり、例えば、消費者が香り提示装置１Ｂを指で摘んで取ってみる等の行為を行うことを促進することが可能になる。
【００５０】
香り提示装置１Ａ，１Ｂは、摘み部２３を摘む部位であると容易に認識させる観点、摘み部２３の摘み易さ、香り提示装置１Ａ，１Ｂの審美性の向上、自立状態の安定性の向上点等の観点から、自立状態における香り提示装置における括れ部２４より下方に位置する部分である下方部分２ｕ（以下、単に下方部分２ｕともいう）の直径Ｄ１に対する摘み部２３の直径Ｄ２の比（Ｄ２／Ｄ１，図３、図８参照）が、好ましくは０．０５以上、より好ましくは０．１以上、また好ましくは０．９以下、より好ましくは０．５以下であり、また好ましくは０．０５以上０．９以下、より好ましくは０．１以上０．５以下である。
同様の観点から、香り提示装置１Ａ，１Ｂは、下方部分２ｕの直径Ｄ１に対する括れ部２４の直径Ｄ３の比（Ｄ３／Ｄ１，図３、図８参照）が、好ましくは０．０４以上、より好ましくは０．０８以上、また好ましくは０．８以下、より好ましくは０．５以下、更に好ましくは０．４以下であり、また好ましくは０．０４以上０．８以下、より好ましくは０．０８以上０．５以下、更に好ましくは０．０８以上０．４以下である。
【００５１】
摘み部２３を摘む部位であると容易に認識させる観点、摘み部２３の摘み易さ、香り提示装置の審美性の向上、自立状態の安定性の向上点等の観点の一又は二以上の観点から、香り提示装置１Ａ，１Ｂは、以下の構成を有することが好ましい。香り提示装置１Ａ，１Ｂは、摘み部２３より下方の部位の最大直径Ｄ１、好ましくは下方部分２ｕの直径Ｄ１が、好ましくは１０ｍｍ以上、より好ましくは１５ｍｍであり、また好ましくは６０ｍｍ以下、より好ましくは５０ｍｍ以下であり、また好ましくは１０ｍｍ以上６０ｍｍ以下、より好ましくは１５ｍｍ以上５０ｍｍ以下である。また摘み部２３の直径Ｄ２は、好ましくは２ｍｍ以上、より好ましくは５ｍｍ以上であり、また好ましくは６０ｍｍ以下、より好ましくは５０ｍｍ以下であり、また好ましくは２ｍｍ以上６０ｍｍ以下、より好ましくは５ｍｍ以上５０ｍｍ以下である。また、括れ部２４の直径Ｄ３は、好ましくは２ｍｍ以上、より好ましくは４ｍｍ以上であり、また好ましくは４５ｍｍ以下、より好ましくは３５ｍｍ以下であり、また好ましくは２ｍｍ以上４５ｍｍ以下、より好ましくは４ｍｍ以上３５ｍｍ以下である。
【００５２】
下方部分２ｕの直径は、該下方部分２ｕの水平断面の外周縁の形状が円形の場合は該円の直径であり、該水平断面の外周縁の形状が円形以外、例えば、四角形又は星形等の場合は、前記水平断面の外周縁上に位置する２点間を結ぶ線分のうち、長さが最長のものをいう。
摘み部２３の直径は、該摘み部２３の水平断面の外周縁の形状が円形の場合は該円の直径であり、該水平断面の外周縁の形状が円形以外、例えば、直方体形、立方体形又は星形等の場合は、前記水平断面の外周縁上に位置する２点間を結ぶ線分のうち、長さが最長のものをいう。このように定義される、下方部分２ｕの直径又は摘み部２３の直径が、軸方向Ｘにおいて変化している場合、それぞれの直径が最大となる部位における該直径を、下方部分２ｕの直径Ｄ１又は摘み部２３の直径Ｄ２とする。
括れ部２４の直径Ｄ３は、括れ部２４の水平断面の外周縁の形状が円形の場合は該円の直径であり、該水平断面の外周縁の形状が円形以外、例えば、四角形又は星形等の場合は、前記水平断面の外周縁上に位置する２点間を結ぶ線分のうち、長さが最小のものをいう。括れ部２４の位置は、直径が最も短い位置、又は水平断面の外周縁上に位置する２点間を結ぶ線分のうち長さが最長のものの長さが最小となる位置である。
【００５３】
下方部分２ｕの直径Ｄ１は、図３及び図８に示すように、括れ部２４より下方の部位の直径であることが好ましく、容器本体２Ａ，２Ｂの最大部分か、又はカバー部材５の直径であることが更に好ましい。
カバー部材５の直径とは、カバー部材５の水平断面の外周縁の形状が円形の場合は該円の直径であり、該水平断面の外周縁の形状が円形以外、例えば、四角形又は星形等の場合は、前記水平断面の外周縁上に位置する２点間を結ぶ線分のうち、長さが最長のものをいう。水平断面は、軸方向Ｘ（開口部２２の中心と括れ部２４の中心とを通る直線と平行な方向）に直交する断面である。垂直断面は、軸方向Ｘ（開口部２２の中心と括れ部２４の中心とを通る直線と平行な方向）と平行な平面による断面である。
摘み部２３より下方の部位、括れ部２４、カバー部材５は、それぞれの外周部の水平断面形状が円形状であることが好ましい。摘み部２３も、外周部の水平断面形状が円形状であることが好ましい。円形状には、円形の他、長軸の長さが短軸の長さの３倍以下の楕円も含まれる。楕円は、長軸の長さが短軸の長さの２倍以下であることが好ましい。
【００５４】
香り提示装置１Ａ，１Ｂは、軸方向Ｘの長さＬ１に対する括れ部２４から摘み部２３の先端までの軸方向Ｘの長さＬ２の比（Ｌ２／Ｌ１，図３、図８参照）が、摘み部２３を摘む部位であると容易に認識させる観点、摘み部２３の摘み易さ、香り提示装置の審美性の向上等の観点から、好ましくは０．０５以上、より好ましくは０．１以上であり、また好ましくは０．５以下、より好ましくは０．３以下であり、また好ましくは０．０５以上０．５以下、より好ましくは０．１以上０．３以下である。
香り提示装置１Ａ，１Ｂは、軸方向Ｘの長さＬ１に対する括れ部２４から下方部分２ｕの下端までの軸方向Ｘの長さＬ３の比（Ｌ３／Ｌ１，図３、図８参照）が、摘み部２３を摘む部位であると容易に認識させる観点、摘み部２３の摘み易さ、香り提示装置の審美性の向上等の観点から、好ましくは０．５以上、より好ましくは０．７以上であり、また好ましくは０．９５以下、より好ましくは０．９以下であり、また好ましくは０．５以上０．９５以下、より好ましくは０．７以上０．９以下である。
なお、長さＬ２及び長さＬ３に関し、摘み部２３の下端及び下方部分２ｕの上端は、括れ部２４の直径が最小の部位とする（図３、図８参照）。
括れ部２４の直径が最小の部位が軸方向Ｘの所定の長さに亘って延在している場合は、直径が最小の部位が延在する範囲を軸方向Ｘに２等分する中間点を長さＬ２と長さＬ３との境界とする。
【００５５】
同様の観点から、香り提示装置１Ａ，１Ｂは、軸方向Ｘの長さＬ１が、好ましくは２０ｍｍ以上、より好ましくは２５ｍｍ以上であり、また好ましくは９０ｍｍ以下、より好ましくは８０ｍｍ以下であり、また好ましくは２０ｍｍ以上９０ｍｍ以下、より好ましくは２５ｍｍ以上８０ｍｍ以下である。
【００５６】
香り提示装置１Ａ，１Ｂは、摘み部２３を摘む部位であると容易に認識させる観点、摘み部２３の摘み易さ、香り提示装置１Ａ，１Ｂの審美性の向上、自立状態の安定性の向上点等の観点から、下方部分２ｕの最大矩形面積Ｓ１に対する摘み部２３の最大矩形面積Ｓ２の比（Ｓ２／Ｓ１）が、好ましくは０．００２５以上、より好ましくは０．０２以上、また好ましくは０．５以下、より好ましくは０．１以下であり、また好ましくは０．００２５以上０．５以下、より好ましくは０．０２以上０．１以下である。
【００５７】
なお、最大矩形面積は、香り提示装置１（１Ａ，１Ｂを纏めて１と表記する）の測定対象部位（摘み部２３、下方部分２ｕ等）の軸方向Ｘと直交する断面を囲む直角四辺形のうち、面積が最少となる直角四辺形の面積をいう。
例えば、図１３（ａ）に示すように、香り提示装置１の測定対象部位の断面形状が楕円形の場合、最大矩形面積は、該楕円形を囲む最小の直角四辺形ｃの面積であり、図１３（ｂ）に示すように、香り提示装置１の測定対象部位の断面形状が星形の場合、該星形を囲む最小の直角四辺形ｃの面積である。また図１３（ｃ）に示すように、測定対象部位の断面形状が円形の場合、該円形を囲む最小の直角四辺形ｃの面積である。いずれの場合も、直角四辺形ｃの面積は、直交する２辺の長さａ，ｂの積で求められる。
摘み部２３及び下方部分２ｕの最大矩形面積は、それぞれの軸方向Ｘにおいて、最大矩形面積が最大となる部位における測定値とする。
【００５８】
次に、本発明の第３実施形態に係る香り提示装置１Ｃについて、図９を参照しながら説明する。図９は、第３実施形態に係る香り提示装置１Ｃを示す図であり、図９（ａ）には上面図、図９（ｂ）には側面図、図９（ｃ）には底面図、図９（ｄ）は斜め上方から視た斜視図、図９（ｅ）は斜め下方から視た斜視図が示されている。
【００５９】
第３実施形態の香り提示装置１Ｃについては、第１実施形態の香り提示装置１Ａと異なる点について説明する。特に説明しない点については、香り提示装置１Ａと同様であり、香り提示装置１Ａの説明が適宜適用される。
【００６０】
第１実施形態の香り提示装置１Ａでは、摘み部２３が収容部２０よりも小さくなるように形成しているところ、第３実施形態の香り提示装置１Ｃでは、図９に示すように、摘み部２３Ｃが収容部２０Ｃよりも同程度の大きさを有している。
【００６１】
香り提示装置１Ｃの容器本体２Ｃの摘み部２３Ｃの大きさを収容部２０の大きさよりも大きくすることで、消費者の興味をひくことが可能になり、例えば、消費者が香り提示装置１Ｃを指で摘んで取ってみる等の行為を行うことを促進することが可能になる。
【００６２】
次に、本発明の第４実施形態に係る香り提示装置１Ｄについて、図１０を参照しながら説明する。図１０は、第４実施形態に係る香り提示装置１Ｄを示す図であり、図１０（ａ）には上面図、図１０（ｂ）には側面図、図１０（ｃ）には底面図、図１０（ｄ）は斜め上方から視た斜視図、図１０（ｅ）は斜め下方から視た斜視図が示されている。
【００６３】
第４実施形態の香り提示装置１Ｄについては、第１実施形態の香り提示装置１Ａと異なる点について説明する。特に説明しない点については、香り提示装置１Ａと同様であり、香り提示装置１Ａの説明が適宜適用される。
【００６４】
第１実施形態の香り提示装置１Ａでは、摘み部２３が収容部２０よりも小さくなるように形成しているところ、第４実施形態の香り提示装置１Ｄでは、図１０に示すように、摘み部２３Ｄが収容部２０Ｄよりも大きくなるように形成されている。また香り提示装置１Ｄでは、収容部２０Ｄの括れ部２４Ｄが香り提示装置１Ｃの収容部２０Ｃの括れ部２４Ｃよりも括れが小さくなっている。
【００６５】
香り提示装置１Ｄの摘み部２３Ｄの大きさを収容部２０Ｄの大きさよりも大きくすることで、消費者の興味をひくことが可能になり、例えば、消費者が香り提示装置１Ｃを指で摘んで取ってみる等の行為を行うことを促進することが可能になる。
【００６６】
摘み部２３より下方の部位（下方部分２ｕ）の最大直径Ｄ１、摘み部２３の直径Ｄ２、括れ部２４の直径Ｄ３、カバー部材５の直径等の定義や、下方部分の最大直径が好ましくはカバー部材５の直径であることは、上述した香り提示装置１Ａ，１Ｂと同様である。また、摘み部２３より下方の部位（下方部分２ｕ）の最大直径Ｄ１、摘み部２３の直径Ｄ２、括れ部２４の直径Ｄ３、カバー部材５の直径の好ましい範囲やそれらの２以上の比、軸方向Ｘにおける各部の寸法や各部の寸法比等についても、特に矛盾しないかぎり、上述した香り提示装置１Ａ又は１Ｂについての説明が適宜適用される。
【００６７】
香り提示装置１Ｃ，１Ｄは、軸方向Ｘの長さＬ１に対する括れ部２４Ｃ，２４Ｄの上端から摘み部２３Ｃ，２３Ｄの先端までの軸方向Ｘの長さＬ２の比（Ｌ２／Ｌ１，図９参照）が、摘み部２３Ｃ，２３Ｄを摘む部位であると容易に認識させる観点、摘み部２３Ｃ，２３Ｄの摘み易さ、香り提示装置の審美性の向上等の観点から、好ましくは０．５５以上、より好ましくは０．５以上であり、また好ましくは０．８以下、より好ましくは０．６以下であり、また好ましくは０．５５以上０．８以下、より好ましくは０．５以上０．６以下である。
【００６８】
香り提示装置１Ｃ，１Ｄは、同様の観点から、下方部分の最大直径Ｄ１を有する部分の最大矩形面積Ｓ１に対する摘み部２３Ｃ，２３Ｄの最大直径Ｄ２を有する部分の最大矩形面積Ｓ２の比（Ｓ２／Ｓ１、図９参照）が、好ましくは０．５５以上、より好ましくは０．８以上、また好ましくは１．１以下、より好ましくは１．０以下であり、また好ましくは０．５５以上１．１以下、より好ましくは０．８以上１．０以下である。なお、最大矩形面積の定義は、上述した香り提示装置１Ａ，１Ｂと同様である。
【００６９】
次に、本発明の第５実施形態に係る香り提示装置１Ｅについて、図１１を参照しながら説明する。図１１は、第５実施形態に係る香り提示装置１Ｅを示す図であり、図１１（ａ）には上面図、図１１（ｂ）には側面図、図１１（ｃ）には底面図、図１１（ｄ）は斜め上方から視た斜視図、図１１（ｅ）は斜め下方から視た斜視図が示されている。
【００７０】
第５実施形態の香り提示装置１Ｅについては、第１実施形態の香り提示装置１Ａと異なる点について説明する。特に説明しない点については、香り提示装置１Ａと同様であり、香り提示装置１Ａの説明が適宜適用される。香り提示装置１Ａ，１Ｂにおける下方部分２ｕの長さＬ３や直径Ｄ３、それらと他の部位における対応する長さや直径との比率等に関する記載は、香り提示装置１Ｅの摘み部２３Ｅより下方の部位の長さや直径、それらと他の部位における対応する長さや直径との比率等に関する記載として適用可能である。
【００７１】
第１実施形態の香り提示装置１Ａでは、摘み部２３が球形状に形成しているところ、第５実施形態の香り提示装置１Ｅでは、図１１に示すように、摘み部２３Ｅが板状に形成されている。
香り提示装置１Ｅの容器本体２Ｅの摘み部２３Ｅを板状に形成することで、消費者の興味をひくことが可能になり、例えば、消費者が香り提示装置１Ｅを指で摘んで取ってみる等の行為を行うことを促進することが可能になる。
【００７２】
次に、本発明の第６実施形態に係る香り提示装置１Ｆについて、図１２を参照しながら説明する。図１２には、本発明の第６実施形態に係る香り提示装置１Ｆの図４相当図が示されている。第６実施形態の香り提示装置１Ｆについては、第１実施形態の香り提示装置１Ａと異なる点について説明し、特に説明しない点については、香り提示装置１Ａと同様であり、香り提示装置１Ａの説明が適宜適用される。
【００７３】
第１実施形態の香り提示装置１Ａにおける封止シート３は、第１パッキン部材６ａ及び第２パッキン部材６ｂに挟まれた状態で、係止部材４により、容器本体２Ｆの収容部２０の開口部２２に固定されている。これに対して、第６実施形態の香り提示装置１Ｆにおける封止シート３は、図１２に示すように、封止シート３を挟んだ状態で保持可能な第１部材７１及び第２部材７５を備えるシート保持体７に保持された状態で、香り提示装置１Ｆにおける、収容部２０の開口部２２を被覆可能な所定の部位に固定されている。またシート保持体７は、カバー部材５Ｆを容器本体２Ｆに固定する際に、シート保持体７の周縁部を、収容部２０の開口部２２の周縁部と、該周縁部と相対向するカバー部材５Ｆの環状部分５８との間に挟持させることにより固定されている。図１２には、収容部２０の開口部２２の周縁部とシート保持体７の周縁部との間に、環状のパッキング部材６ａが配されているが、例えば、シート保持体７の第１部材７１を比較的柔軟な合成樹脂で形成することにより、パッキング部材６ａを省略しても、シート保持体７と開口部２２の周縁部との間に十分な液密性又は気密性を得ることもできる。
【００７４】
図１２に示すシート保持体７における第１部材７１は、複数の貫通孔が形成された多孔部７３を中央域に有する平板部７２及び平板部７２の周縁から略垂直に立ち上がる筒状部７４を有する偏平な有底筒状部材であり、第２部材７５は、第１部材７１における多孔部７３に対向する部分が開口部７５ａとなっている扁平な環状部材となっている。
シート保持体７は、第１部材７１の筒状部７４内に封止シート３を収納した後、筒状部７４内に第２部材７５を収納することにより、封止シート３の外周部を、第１部材７１と第２部材７５との間で挟み込むことによって形成することができる。第２部材７５の外径は、第１部材７１の筒状部７４の内径に対して、例えば９０％以上１０２％以下とすることが好ましい。第２部材７５を、第１部材７１の筒状部７４内に押し込むことによって、筒状部７４内に固定可能とすることも好ましい。
【００７５】
シート保持体７の構成部材である第１部材７１及び第２部材７５は、封止シート３を挟んだ状態で、嵌合、係合又は螺合等の機械的相互作用により互いに結合一体化させ得るものであることも、封止シート３を保持したシート保持体７の組み立ての容易性、シート保持体７としての取扱性、シート保持体７として香り提示装置１Ｆに固定された後の封止シート３の固定安定性等の一又は二以上の観点から好ましい。
【００７６】
第６実施形態の香り提示装置１Ｆにおける封止シート３は、収容部２０の内部空間２１側に向けられる内面側に、多孔部７３を有する平板部７２が位置し、収容部２０の内部空間２１側とは反対側に向けられる外面側に、多孔部７３と重なる開口部７５ａを有する環状の第２部材７５が位置している。シート保持体７における第１部材７１の平板部７２は、複数の貫通孔が形成された多孔部７３を有する板状体であり、封止シート３は、板状体である平板部７２に、収容部２０の内部空間２１側に向けられる面である内面側を沿わせた状態で配されている。
このように、封止シート３が、多孔部７３を有する板状体である平板部７２に沿わした状態に配されていることにより、香り提示装置１Ｆが強く振られた場合や落下等により香り提示装置１Ｆに強い衝撃が加わった場合においても、封止シート３が多孔部７３を有する板状体で補強されているため、移動する芳香性流動体等による封止シート３の破損や性能劣化を防止することができる。また、封止シート３の内面側を多孔部７３を有する板状体である平板部７２に沿わした状態に配されている場合には、移動する芳香性流動体等により封止シート３に加わる圧力が緩和されるため、封止シート３の破損や性能劣化が一層防止することができる。封止シート３は、多孔部７３を有する板状体である平板部７２に常時、面接触していてもよいし、香り提示装置１Ｆを振ったときなどに一時的に平板部７２に接触してもよい。
また、封止シート３が、その内面側を、多孔部７３を有する板状体である平板部７２に沿わした状態に配されていると、収容部２０に収容された芳香性流動体が、第１部材７１の貫通孔を通じて比較的少量ずつ封止シート３に接触するようにすることもできる。そのため、例えば、貫通孔を設ける範囲、貫通孔の内径、貫通孔の等を適宜に設定することにより、放散させる香りの量を制御したり、香りを放散させる持続期間の長期化等を図ること等が可能である。
【００７７】
多孔部７３に存する貫通孔の数は、好ましくは３以上１００以下、より好ましくは５以上５０以下であり、更に好ましくは１０以上５０以下である。
多孔部７３に存する貫通孔の面積割合は、好ましくは１０％以上８０％以下であり、より好ましくは１５％以上５０％以下である。この面積割合は、収容部２０の開口部２２の面積に対する貫通孔の合計面積の割合であり、本実施形態においては、パッキング部材６ａの内側の面積に対する貫通孔の総面積の割合が、上記の範囲であることが好ましい。
また、各貫通孔の形状には制限がないが、円形状、楕円状、多角形状等で構成され、最長線分の長さが直交線分の長さの４倍以下、より好ましくは２倍以下となるように、異方性を抑えることが好ましい。ここで、最長線分は、貫通孔の平面視において、貫通孔の開口周縁部上に位置する２点間を結ぶ線分のうち、長さが最大の線分であり、直交線分は、貫通孔の開口周縁部上に位置する２点間を結ぶ線分のうち、前記最長線分を２等分する中点を通り且つ該最長線分に垂直な線分である。
また多孔部７３に形成する各貫通孔の孔径は、０．５ｍｍ以上５ｍｍ以下であることが好ましい。貫通孔が非円形である場合、円相当径、すなわち貫通孔の開口面積と同一面積の円の直径が上記の範囲であることが好ましい。
また多孔部７３に形成する貫通孔の孔径又は断面積は、カバー部材５Ｆに存する貫通孔５２の孔径又は断面積よりも小さいことが、移動する芳香性流動体等により封止シート３に加わる圧力を緩和する観点から好ましい。
第６実施形態の香り提示装置１Ｆは、カバー部材５Ｆにおける貫通孔５２が開口する外面が平坦であり、自立（正立）状態が一層安定する。
【００７８】
上述した各実施形態の香り提示装置における封止シート及びパッキン部材以外の各部材は、合成樹脂製であることが好ましいが、それに制限されるものではなく、金属製、ガラス製、セラミック製、ガラス製、それらと合成樹脂との複合材等であっても良い。また一つの香り提示装置を構成する部材間で材質が異なっていても良い。
合成樹脂の一例としては、ポリエチレン、ポリプロピレン（ＰＰ）等のポリオレフィン、ポリエチレンテレフタレート（ＰＥＴ）等のポリエステル、ポリスチレン（ＰＳ）等のスチレン系樹脂、ナイロン等のポリアミド、ポリカーボネート（ＰＣ）、ポリアセタール（ＰＯＭ）等が挙げられる。
【００７９】
以上、本発明をその好ましい実施形態に基づき説明したが、本発明は上述した実施形態に限定されない。
例えば、第１実施形態においては、カバー部材５の被覆部５０は、外方に向けて僅かに隆起した形状に形成したが、被覆部５０を平面状に形成してもよい。その場合の香り提示装置も、カバー部材５を、容器本体２Ａの摘み部２３を上に向け且つ開口部２２を下に向けた状態で、棚等の水平面上に自立可能であることが好ましい。
また前記の各実施形態の一又は複数の構成を、本発明の趣旨を逸脱しない範囲で他の実施形態に適宜に組み合わせることが可能である。
また前記の各実施形態における好ましい寸法の範囲、比率等は、本発明の趣旨を逸脱しない範囲で任意に２以上を組み合わせることも可能である。
また第６実施形態におけるシート保持体７の第１部材７１は、平板部７２及び筒状部７４を有するものに代えて多孔部７３を有する平板部７２のみからなるものでもよく、また封止シート３を沿わせるように配置する板状体は、平板部７２のように、多孔部７３を有する平板状の部材に代えて、軸方向Ｘに沿う断面形状が、上方又は下方に向けて凸に湾曲した板状体であっても良い。また、多孔部７３を有する板状体は、封止シート３の外面側に配されていてもよく、封止シート３の内面側と外面側の両面に配されていてもよい。それらの場合も、板状体は、封止シート３を沿わした状態に配することが好ましい。
また、封止シート３は、内面側に代えて又は内面側とともに、外面側が、多孔部７３を有する平板状の平板部７２や軸方向Ｘに沿う断面形状が上方又は下方に向けて凸に湾曲した形状の板状体に沿った状態で配されていても良い。
【００８０】
上述した各実施形態の香り提示装置は、香り見本を収容することによって、本発明の一実施形態である香り提示装置として使用することができるほか、香り見本であるか否かを問わずに香料を含む芳香性液体組成物や液状芳香剤を収容して使用することができる。すなわち、芳香剤容器として使用することができる。図３、図８、図９、図１０に示す香り提示装置又は芳香剤容器の背面図、右側面図及び左側面図は、図３（ａ）、図８（ｂ）、図９（ｂ）、図１０（ｂ）に示す正面図と同一に表れる。また、図１１に示す香り提示装置又は芳香剤容器の背面図は、図１１（ｂ）に示す正面図と同一に表れる。各実施形態の香り提示装置（又は芳香剤容器）は、各実施形態の収容部を形成する部分が透明又は半透明である。
【符号の説明】
【００８１】
１Ａ，１Ｂ，１Ｃ，１Ｄ，１Ｅ、１Ｆ  香り提示装置
２Ａ，２Ｂ，２Ｃ，２Ｄ，２Ｅ、２Ｆ  容器本体
２０  収容部
２１  内部空間
２２  開口部
２３  摘み部
２４  括れ部
３  封止シート
４  係止部材
５、５Ｆ  カバー部材
５２  貫通孔
Ｘ  軸方向
【図１】
2019023106.tif 000003
【図２】
2019023106.tif 000004
【図３】
2019023106.tif 000005
【図４】
2019023106.tif 000006
【図５】
2019023106.tif 000007
【図６】
2019023106.tif 000008
【図７】
2019023106.tif 000009
【図８】
2019023106.tif 000010
【図９】
2019023106.tif 000011
【図１０】
2019023106.tif 000012
【図１１】
2019023106.tif 000013
【図１２】
2019023106.tif 000014
【図１３】
2019023106.tif 000015